(57)【要約】この発明は、患者の複数の歯の少なくとも一つの歯（３）の色調に最も近い色識別リングのサンプルを決める方法と装置に関する。この方法は、以下の工程を備える：ビデオカメラ（１）を備えた影像をとる手段で、前記歯（３）の着色イメージ（７ａ）をスクリーン（７）に静止画として表示し、色識別リングを撮影し、少なくとも一つのサンプルのイメージをスクリーン（７）に、前記歯の静止された着色イメージ（７ａ）と並列するように写し出し、スクリーン（７）上に静止した歯（３）の着色イメージ（７ａ）と視覚で比較する工程。
2005532561.tif 000002
【特許請求の範囲】
【請求項１】
患者の複数の歯の少なくとも一つの歯の少なくとも一部の色合いに最も近い色識別リング（パレット）（９）のサンプルを決定する方法であって、ビデオカメラ（１）を備える影像取り手段の助力を受けて以下の工程を備えることを特徴とする方法：
−一連の歯の一つの歯（３）の着色イメージ（７ａ）をインプットし、スクリーン（７）上に静止画として表示すること、
−色識別リング（９）を撮影し、該リングの少なくとも一つのサンプル（９１，９２，９３．．．９ｎ）の着色イメージ（７ａ）を前記スクリーン（７）に静止画として表示された着色イメージ（７ａ）と並列して表示すること、
−前記スクリーン（７）上の静止された前記歯（３）の着色イメージ（７ａ）と前記サンプル（９１，９２，９３．．．９ｎ）の着色イメージ（７ａ）とを視覚で比較すること。
【請求項２】
使用者が前記歯（３）の静止した着色イエージ（７ａ）と前記サンプルの着色イメージ（７ｂ）とを視覚上で比較することができるように、前記色識別リング（９）の前記サンプル（９１，９２，９３．．．９ｎ）を前以て前記スクリーンに写しておくことを特徴とする請求項１による方法。
【請求項３】
前記サンプルの着色イメージ（７ｂ）を前記スクリーン（７）に静止させて、前記歯（３）の着色イメージ（７ａ）と比較することができるようにすることを特徴とする前記請求項のいずれかによる方法。
【請求項４】
前記二つの着色イメージ（７ａ，７ｂ）を互いに分け隔てすることなしに並列させることを特徴とする前記請求項のいずれか一つによる方法。
【請求項５】
前記歯（３）の着色イメージ（７ａ）をインプットし、前記色識別リング（９）をフィルム化する間に、前記ビデオカメラ（１）のクロミナンスの値が前記カメラの通常の調節にからめて増加することを特徴とする前記請求項のいずれか一つによる方法。
【請求項６】
さらに加えて、前記歯（３）の着色イメージ（７ａ）をインプットし、前記色識別リング（９）をフィルム化する間に、前記カメラの通常の調節にからめて、クロミナンスの差（Ｒ−Ｙ；Ｂ−Ｙ）の値が増加することを特徴とする請求項５による方法。
【請求項７】
前記カメラ（１）の明るさを自動的に制御する手段を抑えることを特徴とする前記請求項のいずれか一つによる方法。
【請求項８】
前記カメラ（１）のクロミナンスを自動的に制御する手段を抑えることを特徴とする前記請求項のいずれか一つによる方法。
【請求項９】
患者の複数の歯の少なくとも一つの歯（３）の少なくとも一部の色合いに最も近い色識別リングのサンプルを決定するビデオカメラ（１）を備えた装置であって、この装置は、以下の構成を備えることを特徴とするものである：
−前記歯（３）の着色イメージをインプットし、スクリーン（７）上に静止画として表示する手段、
−色識別リング（９）を撮影し、該リングの少なくとも一つのサンプルの着色イメージ（７ｂ）を前記スクリーンに表示する手段、
−同じスクリーン（７）上に静止された前記歯（３）の着色イメージ（７ａ）と前記サンプルの撮影された着色イメージ（７ｂ）とを並列させて表示する手段。
【請求項１０】
前記スクリーン（７）に前記サンプルの着色イメージ（７ｂ）を静止させる手段を備えたことを特徴とする請求項９による装置。
【請求項１１】
前記歯（３）の着色イメージ（７ａ）と前記サンプルの着色イメージ（７ｂ）とを分け隔てなしに並べる手段を備えたことを特徴とする請求項９または請求項１０による装置。
【請求項１２】
前記カメラ（１）の明るさを自動的に制御する手段を抑える手段を備えていることを特徴とする前記請求項９から請求項１１のいずれか一つによる装置。
【請求項１３】
前記カメラ（１）のクロミナンスを自動的に制御する手段を抑える手段を備えていることを特徴とする前記請求項９から請求項１２のいずれか一つによる装置。
【発明の詳細な説明】
【技術分野】
【０００１】
この発明は、患者の歯の実際の色合いに最も近い色識別リング（パレット）のサンプルの暗度を選択する方法並びにこのような方法を実施する装置に関するものである。
【０００２】
色識別リングから、患者の歯の色調に最も近い暗度をもつサンプルを選択する操作は、極めてデリケートに行われることが知られている。このような操作の困難性の理由の一つは、場合によっては、色識別リングにおいて隣り合う二つのサンプルの暗度が極めて見分け難いという事実に特に起因する。この操作は、殆どの場合、患者の歯に合っている色識別リングの各サンプルを正しく見定め、認定に誤りがないように全体を均一に照らすことが極めて困難であることでより多く問題になるものである。
【０００３】
この発明は、そのような選択を手際よく、簡単に、そして効率よく行うことを可能にする方法と装置を提供することで、この欠点を克服することを目的とするものである。
【０００４】
かくして、この発明は、患者の複数の歯の少なくとも一つの歯の少なくとも一部の色合いに最も近い色識別リング（パレット）のサンプルを決定する方法であって、ビデオカメラを備えたイメージ手段の助力を受けて以下の工程を備えることを特徴とする方法を目的とするものである：
【０００５】
−一連の歯の一つの歯の着色イメージをインプットし、スクリーン上に静止画として表示すること、
−色識別リングを撮影し、該リングの少なくとも一つのサンプルの着色イメージを前記スクリーンに静止画として表示された着色イメージと並列して表示すること、
−前記スクリーン上の静止された前記歯の着色イメージと前記サンプルの着色イメージとを視覚で比較すること。
【０００６】
使用者が前記スクリーンに静止された着色イメージと前記サンプルの着色イメージとを視覚で比較することができるように、前記色識別リングのサンプルの着色イメージを前以てスクリーンに表示しておいてもよい。
【０００７】
さらに、この比較をさらによくするには、前記サンプルの着色イメージを前記スクリーンに静止画として表示することもでき、これによって施術者が落ちついて比較検討することができるようになる。施術者によりなされる評価は、前記二つの着色イメージを分け隔てせずに互いに並び合わせることで改善されることが分かっている。
【０００８】
この発明の一つの実施例においては、前記歯の着色イメージをインプットし、前記色識別リングを撮影する際に、ビデオカメラのクロミナンスの値を前記カメラの通常の調節に関連させて増加させる。このクロミナンスにおける相違の値（Ｒ−Ｙ：Ｂ−Ｙ）もまた増やされる。
【０００９】
この発明によれば、前記カメラの明るさ並びにクロミナンスを自動的に制御する手段を抑えることも可能である。このようにして、前記カメラの調節が外部の照度条件により妨げられることをなくすことができる。
【００１０】
この発明は、また、患者の複数の歯の少なくとも一つの歯の少なくとも一部の色合いに最も近い色識別リングのサンプルを決定するビデオカメラを備えた装置を目的とするもので、この装置は、以下の構成を備えることを特徴とするものである：
【００１１】
−一連の歯の一つの歯の着色イメージをインプットし、スクリーン上に静止画として表示する手段、
−色識別リングを撮影し、該リングの少なくとも一つのサンプルの着色イメージを前記スクリーンに表示する手段、
−前記スクリーン上の静止された前記歯の着色イメージと前記サンプルの着色イメージとを並列させて表示する手段。
【００１２】
この装置は、また、前記サンプルの着色イメージをスクリーンに静止させる手段並びに前記歯の着色イメージと前記サンプルの着色イメージを分け隔てすることなしに並べて表示するようにする手段を備えている。
【００１３】
この発明の一つの実施例を添付の図面を参照しながら限定されることなしに以下に記載する。
【００１４】
この発明の実施例における特に利点のある装置を簡略化して以下に記載する。
【００１５】
前記装置によれば、図１に示すように、ビデオカメラ１を用いて歯３の再現したい色調をフィルム取りしてビデオ信号化し、通常の信号処理装置５で処理して、ビデオモニター７へ送る。前記モニターでのイメージを施術者がよいと思ったら、例えばペダル６のような制御部材を操作して前記信号処理装置５を動作させ、モニター７のスクリーンにおける歯のイメージ７ａをそのままの状態、即ち、不動化し、保持するようにする。
【００１６】
同じ信号処理装置５と同じビデオカメラ７を備えた同じカメラ１により、図２に示すように、カメラ１のレンズでフィルム化された色識別リング９のサンプル９１，９２，９３．．．９ｎのそれぞれを写し、同時に得られたイメージ７ｂをビデオモニター７のクリーンに、歯３のイメージ７ａと隣り合わせで表示する。施術者による第１の評価で前記スクリーンに表示された二つのイメージの暗度の値が接近しているものとされれば、信号処理装置５のペダル６を再び操作し、図示のように、前記スクリーンの半分の部分に表示された色識別リングのサンプルのイメージ７ｂを固定するようにする。図１に示す実施例においては、かくてスクリーンに左半分に患者の歯のイメージ７ａの左半分があり、その右半分には色識別リングのサンプルのイメージ７ｂが結びつくようになっている。このようにして、施術者は、できる限り最良の状態で、かつ、正確に前記二つのイメージの暗度を一見して比較できるようになる。このテストが満足できないものであれば、前記色識別リングをスキャンニングし、新たな。もっと満足できて、特定化できるものを探すことができて、もっと綿密なテストが行えるようになっている。
【００１７】
このような較べる処理をして、使用するビデオカメラ、信号処理手段ならびにビデオモニター７に特有なビデオシステムの数多くのパラメータを調節しなくてもすむようになる。
【００１８】
かくて、この発明によれば、色調の色合わせがうまくできない使用者であっても暗度を適切に判断できる。
【００１９】
この発明のここでの実施例の特に関心をひく変形例においては、信号処理装置５を使用して、カメラの青、緑及び赤の信号のクロミナンスが増加でき（カメラの通常の使用のための調節について）、そして、これは、患者の歯のそれぞれのショットと色識別リングの要素９ｎのそれぞれのショットの数を同じにすることで行われる。同様に、信号のクロミナンスにおける相違も強調できる（Ｙは、輝度、ＲとＢは、赤の信号と青の信号それぞれの値であって、クロミナンスにおけるこれらの相違は、これらの条件Ｒ−Ｙ及びＢ−Ｙの条件による）。
【００２０】
これらそれぞれの値を増加することで、裸眼では相違を評価することが全くできない色識別リング９の隣りあう要素９ｎ及び９ｎ＋１の色暗度を正確に区別することができることが確認されている。このように、この発明を実施することで、検討対象の複数の色における相違をある程度増幅させることができると同時に分析された複数の色の判別精度を著しく高めることができる。
【図面の簡単な説明】
【００２１】
【図１】この発明による方法の一つの姿を示す略図。
【図２】この発明による方法の一つの姿を示す略図。
【符号の説明】
【００２２】
１          ビデオカメラ
３          歯
５          信号処理装置
６          ペダル
７          ビデオモニター
９          色識別リング
【図１】
2005532561.tif 000003
【図２】
2005532561.tif 000004
【国際調査報告】
2005532561.tif 000005
2005532561.tif 000006
2005532561.tif 000007
2005532561.tif 000008